【手続補正書】
【提出日】令和1年5月30日(2019.5.30)
【手続補正１】
【補正対象書類名】明細書
【補正対象項目名】００６０
【補正方法】変更
【補正の内容】
【００６０】
本例に示されるように、作動要素の第１のグループの第１の作動要素への駆動波形は、スイッチ２２を介して共通駆動信号から供給される。作動要素の第２のグループの第１の作動要素への駆動波形は、スイッチ２３を介して共通駆動信号から供給される。作動要素の第１のグループの第２の作動要素への駆動波形は、遅延２６およびスイッチ２７を介して共通駆動信号から供給される。作動要素の第２のグループの第２の作動要素への駆動波形は、遅延２６およびスイッチ２８を介して共通駆動信号から供給される。各事例では、スイッチングのタイミングは、作動要素に対応する場所でドットが必要かどうかに従ってコントローラ２４、２９によって制御される。プリンタが、各ラインに対して印刷されている媒体を動かすための部品を有するラインプリンタである場合、コントローラは媒体の動きとの同期を処理する。
【手続補正２】
【補正対象書類名】明細書
【補正対象項目名】００６８
【補正方法】変更
【補正の内容】
【００６８】
図９は、図８のものと同様の別の実施形態の概略図を示し、必要に応じて対応する参照番号が使用されている。この事例では、画像処理回路の簡素化されたより費用効果が高い形態が使用される。印刷のための画像データ３３０は、加算器４００に供給され、加算器４００は、画像のアクティブピクセルの数を加算することができる。これにより、例えば、デジタル値またはアナログバイアス電圧など、バイアス信号を生成するためにバイアス調整回路４０５によって使用することができる値が生成される。これは、調整可能電圧源２２０に供給され、調整可能電圧源２２０では、例えば、作動要素の各グループに対する固定電圧オフセットに加算される。
【手続補正３】
【補正対象書類名】明細書
【補正対象項目名】０１１３
【補正方法】変更
【補正の内容】
【０１１３】
図１７ａは、さらなる実施形態による、複数の作動要素ダイ５０１ａ〜５０１ｎを含むプリントヘッド５２０（一般に破線によって示される）を例示的に示し、図１７ｂおよび１７ｃは、補償なしおよび補償ありの異なる作動要素ダイ５０１ａ〜５０１ｎからの平均液滴速度の変動のグラフを示す。必要に応じて、以前に説明される要素に対応する参照番号が使用されている。
【手続補正４】
【補正対象書類名】図面
【補正対象項目名】図９
【補正方法】変更
【補正の内容】
【図９】
2018516187.tif 000001
【手続補正５】
【補正対象書類名】特許請求の範囲
【補正対象項目名】全文
【補正方法】変更
【補正の内容】
【特許請求の範囲】
【請求項１】
作動要素の第１および第２のグループを駆動するための回路であって、各グループは、プリントヘッドからの液滴吐出のために複数の作動要素を備える回路であって、
前記回路は、
前記第１および第２のグループの前記複数の作動要素の第１の電極に駆動波形を提供するように構成された駆動回路と、
前記第１および第２のグループの前記複数の作動要素の第２の電極に互いに対してバイアスを印加するために、前記第１または第２のグループの前記複数の作動要素の前記第２の電極に電圧オフセットを提供するように構成された電圧オフセット回路と、
を含む回路。
【請求項２】
前記駆動回路が、前記それぞれの駆動波形の対応する遷移を時間的にオフセットするために、作動要素の異なるセットに印加される前記駆動波形間に時間オフセットを提供するように構成される、請求項１に記載の回路。
【請求項３】
前記電圧オフセットが、前記作動要素の第１および第２のグループ間の液滴吐出の不均一性を補償するのに適している、請求項１または２に記載の回路。
【請求項４】
前記電圧オフセットを調整するように構成されたオフセット調整回路をさらに有し、
前記オフセット調整回路が、前記電圧オフセットの固定成分を生成するための固定回路を有し、および前記電圧オフセット回路が、前記固定成分を前記オフセット調整回路によって提供される調整可能な電圧オフセットと組み合わせるように構成される、
請求項１〜３のいずれか一項に記載の回路。
【請求項５】
前記駆動回路が、互いから時間においてオフセットされた少なくとも２つの共通駆動波形であって、それぞれが作動要素のセットを駆動するためのものである、少なくとも２つの共通駆動波形を提供するように構成され、および前記駆動回路が、１つまたは複数のスイッチを含み、各スイッチが、前記共通駆動波形のうちの１つをそれぞれのグループに選択的に結合するように構成され、前記駆動回路が、印刷信号に従って前記スイッチを制御するためのコントローラを有する、請求項１〜４のいずれか一項に記載の回路。
【請求項６】
印刷画像特性を生成するように構成された処理回路を有し、および前記電圧オフセット回路が、前記印刷画像特性に従って前記電圧オフセットを生成するように構成される、請求項１〜５のいずれか一項に記載の回路。
【請求項７】
前記第１のグループが、前記異なるセットのうちの第１のセットの作動要素を含み、
前記第２のグループが、前記異なるセットのうちの第２のセットの作動要素を含む、
請求項２又は請求項２に従属するときの請求項３乃至６のいずれか一項に記載の回路。
【請求項８】
前記第１および第２のグループが、それぞれ前記第１のセットおよび第２のセットの作動要素を含む、請求項７に記載の回路。
【請求項９】
１つまたは複数の作動要素ダイを含むプリントヘッドであって、各作動要素ダイが、その上の１つまたは複数のアレイで提供される液滴吐出のための複数の作動要素を有し、前記作動要素の第１の電極が、請求項１〜８のいずれか一項に記載の回路の前記駆動回路に結合され、前記作動要素の第２の電極が前記回路の前記電圧オフセット回路に結合される、プリントヘッド。
【請求項１０】
前記１つまたは複数のアレイの各々が、作動要素の第１又は第２のグループの少なくとも一における作動要素を含む、請求項９に記載のプリントヘッド。
【請求項１１】
前記１つまたは複数のアレイの第１のアレイは、前記第１のグループを含み、
前記１つまたは複数のアレイの第２のアレイは、前記第２のグループを含み、
前記第１のグループは、前記第２のグループと異なり、
各グループの前記第２電極は、各ダイへの前記電圧オフセット回路によって提供される異なる電圧オフセットと結合されるよう構成される、
請求項１０に記載のプリントヘッド。
【請求項１２】
前記１つまたは複数のアレイの各々が、少なくとも１つのセットにおける作動要素を含む、請求項９〜１１のいずれか一項に記載のプリントヘッド。
【請求項１３】
請求項９〜１２のいずれか一項に記載のプリントヘッドを有するプリンタ。
【請求項１４】
プリントヘッドを構成する方法であって、
前記プリントヘッドの作動要素の第１および第２のグループ間の性能の不均一性を決定するステップと、
前記不均一性を補償するための前記作動要素の前記第１のグループに対するグループ補償量を決定するステップと、
前記グループ補償量を提供するための電圧オフセットを決定するステップと、
前記電圧オフセットを生成するように電圧オフセット回路を構成するステップと、
前記第１および第２のグループの第１電極に駆動波形を提供するステップと、
前記第１および第２のグループの第２の電極に互いに対してバイアスを印加するために、前記第１のグループおよび／または前記第２のグループの前記第２電極に前記電圧オフセットを提供するステップと、
を含む方法。
【請求項１５】
前記作動要素の２つ以上のセットに駆動波形を印加するステップと、
前記２つ以上のセットに印加された前記それぞれの駆動波形間に時間オフセットを提供するステップと、
をさらに含む、請求項１４に記載の方法。